(57)【要約】【課題】メンテナンス性を向上させた弾球遊技機を提供する。【解決手段】弾球遊技機が、前面側に遊技球を用いた遊技を行う遊技領域ＰＡが設けられた遊技盤１０と、遊技盤１０を保持する前枠と、前枠における遊技盤１０の下方に設けられて遊技球を貯留する上下の球皿６ａ，６ｂと、前枠の後側に設けられ、遊技領域ＰＡでの遊技の状態に応じて上球皿６ａに遊技球を払い出す賞球払出ユニット７０と、前枠の後側における賞球払出ユニット７０の下方に着脱可能に取り付けられ、賞球払出ユニット７０から払い出された遊技球を上下の球皿６ａ，６ｂに導く通路部材８０と、通路部材８０に設けられて下球皿６ｂが遊技球で満杯である状態を検出する満杯検出手段９５とを備えている。【選択図】図９
2015202190.tif 000002
【特許請求の範囲】
【請求項１】
前面側に遊技球を用いた遊技を行う遊技領域が設けられた遊技盤と、
前記遊技盤を保持する枠部材と、
前記枠部材における前記遊技盤の下方に設けられて遊技球を貯留する球皿と、
前記枠部材の後側に設けられ、前記遊技領域での遊技の状態に応じて前記球皿に遊技球を払い出す払出装置と、
前記枠部材の後側における前記払出装置の下方に着脱可能に取り付けられ、前記払出装置から払い出された遊技球を前記球皿に導く通路部材と、
前記通路部材に設けられて前記球皿が遊技球で満杯である状態を検出する満杯検出手段とを備えることを特徴とする弾球遊技機。
【請求項２】
前記球皿は、前記払出装置から払い出された遊技球を貯留可能な上球皿と、前記上球皿の下方に設けられて遊技球を貯留可能な下球皿とを有し、
前記通路部材に、前記払出装置から払い出された遊技球を前記上球皿に導く上側払出通路と、前記上側払出通路から分岐して前記上球皿および前記上側払出通路から溢れ出た遊技球を前記下球皿に導く下側払出通路とが形成され、
前記満杯検出手段は、前記下球皿が遊技球で満杯である状態を検出することを特徴とする請求項１に記載の弾球遊技機。
【請求項３】
前記枠部材に、前記下側払出通路と前記下球皿とに繋がる下球皿通路が形成され、
前記満杯検出手段は、前記通路部材が前記枠部材の後側における前記払出装置の下方に取り付けられた状態で、前記下球皿から前記下球皿通路まで溢れ出た遊技球を検出可能に配置されることを特徴とする請求項２に記載の弾球遊技機。
【発明の詳細な説明】
【技術分野】
【０００１】
本発明は、ぱちんこ遊技機等の弾球遊技機に関する。
【背景技術】
【０００２】
ぱちんこ遊技機に代表される弾球遊技機は、遊技球による遊技を行う遊技領域が設けられた遊技盤を保持する枠部材に、払出装置および各種制御基板が装着された裏機構盤が取り付けられて構成される。裏機構盤の上部には、遊技施設側から供給される遊技球を貯留するタンク部材と、タンク部材から供給される遊技球を払出装置に向けて流下させる樋部材とが取り付けられている。また、払出装置の下方には、払出装置から払い出される遊技球を枠部材に設けられた上球皿もしくは下球皿に導く賞球通路が形成されており、遊技領域での遊技の状態に応じて払出装置から払い出される遊技球が、上球皿もしくは、上球皿が遊技球で満杯のときには下球皿に流下するように構成される（例えば、特許文献１を参照）。賞球通路における下球皿側の出口近傍には、下球皿が遊技球で満杯である状態を検出する満杯検出手段が設けられている。
【先行技術文献】
【特許文献】
【０００３】
【特許文献１】特開２００４−２３６８３５号公報
【発明の概要】
【発明が解決しようとする課題】
【０００４】
しかしながら、従来の弾球遊技機では、満杯検出手段が下球皿の奥側に配置されていたため、故障等により満杯検出手段を交換する場合に、他の多くの部品を取り外さなければならず、手間が掛かっていた。
【０００５】
本発明は、このような課題に鑑みてなされたものであり、メンテナンス性を向上させた弾球遊技機を提供することを目的とする。
【課題を解決するための手段】
【０００６】
このような目的達成のため、本発明に係る弾球遊技機は、前面側に遊技球を用いた遊技を行う遊技領域が設けられた遊技盤と、前記遊技盤を保持する枠部材と、前記枠部材における前記遊技盤の下方に設けられて遊技球を貯留する球皿と、前記枠部材の後側に設けられ、前記遊技領域での遊技の状態に応じて前記球皿に遊技球を払い出す払出装置と、前記枠部材の後側における前記払出装置の下方に着脱可能に取り付けられ、前記払出装置から払い出された遊技球を前記球皿に導く通路部材と、前記通路部材に設けられて前記球皿が遊技球で満杯である状態を検出する満杯検出手段とを備えている。
【発明の効果】
【０００７】
本発明によれば、弾球遊技機のメンテナンス性を向上させることができる。
【図面の簡単な説明】
【０００８】
【図１】ぱちんこ遊技機の正面図である。
【図２】ぱちんこ遊技機を後方から見た斜視図である。
【図３】ぱちんこ遊技機の側面図である。
【図４】ぱちんこ遊技機からタンク部材および樋部材を取り外した状態を示す斜視図である。
【図５】タンク部材および樋部材の斜視図である。
【図６】ぱちんこ遊技機の平断面図である。
【図７】樋部材の下部近傍を示す平断面図である。
【図８】樋部材の下部近傍を示す側断面図である。
【図９】通路部材の近傍を示す側断面図である。
【図１０】ぱちんこ遊技機の側断面図である。
【図１１】下部裏機構盤の分解斜視図である。
【図１２】下部裏機構盤の平断面図である。
【図１３】ぱちんこ遊技機から通路部材を取り外した状態を示す斜視図である。
【図１４】（ａ）は通路部材を後方から見た斜視図であり、（ｂ）は通路部材を前方から見た斜視図である。
【図１５】通路部材の側断面図である。
【図１６】（ａ）は右側通路部材を前方から見た斜視図であり、（ｂ）は右側通路部材を後方から見た斜視図である。
【発明を実施するための形態】
【０００９】
以下、本発明の好ましい実施形態について図面を参照して説明する。本実施形態に係る弾球遊技機の代表例として、ぱちんこ遊技機ＰＭの斜視図及び背面図を図１及び図２に示しており、まず、この図を参照してぱちんこ遊技機ＰＭの全体構成について説明する。本実施形態において、図２の各矢印で示す方向をそれぞれ、上下方向、前後方向、左右方向として説明する。
【００１０】
［ぱちんこ遊技機の全体構成］
始めに、図１を参照しながら、ぱちんこ遊技機ＰＭの前面側の基本構造を説明する。ぱちんこ遊技機ＰＭは、図１に示すように、外郭方形枠サイズに構成された縦向きの固定保持枠をなす外枠１と、これに合わせた方形枠サイズに構成されて開閉搭載枠をなす前枠２とを主体に構成される。前枠２は、外枠１および前枠２の左側縁部に配設された上下のヒンジ機構３ａ，３ｂにより、外枠１の前側開口部に対して横開き開閉および着脱が可能に取り付けられる。また、前枠２は、右側縁部に設けられたダブル錠と称される施錠装置４を利用して、常には外枠１と係合連結された閉鎖状態に保持される。
【００１１】
前枠２の前面側には、この前枠２の上部前面域に合わせた方形状のガラス枠５が上下のヒンジ機構３ａ，３ｂを利用して横開き開閉および着脱可能に組み付けられる。ガラス枠５は、上述の施錠装置４を利用して、常には前枠２の前面を覆う閉鎖状態に保持される。前枠２の上部に遊技盤１０が着脱可能にセット保持され、常には閉鎖保持されるガラス枠５の複層ガラス５ａを通して、遊技盤１０の前面に設けられた遊技領域ＰＡを視認可能に臨ませるようになっている。詳細な図示を省略するが、遊技盤１０の遊技領域ＰＡには、多数本の遊技釘とともに、遊技球が入球可能な一般入賞装置、始動入賞装置、大入賞装置等の各種入賞装置（図示せず）、遊技の展開状態に応じて演出を行う演出表示装置、可動装飾装置を備えたセンター飾り（図示せず）等が取り付けられている。また、遊技領域ＰＡの下端部には、遊技球が通過可能なアウト口（図示せず）が形成されている。
【００１２】
ガラス枠５の下部には、遊技球を貯留する上下の球皿（上球皿６ａ及び下球皿６ｂ）が設けられる。なお、下球皿６ｂは、前枠２（ガラス枠５）の左右の中心に対して左側に寄って配置される。ガラス枠５の下部における下球皿６ｂの右方には、例えば、所定の演出操作を行うための演出操作手段（図示せず）、演出を行うための可動演出装置（図示せず）、遊技球の貸球操作を行うための貸球操作手段（図示せず）等の電気部品を取り付けることができる。ガラス枠５の上部前面側には、発光ダイオード（ＬＥＤ）やランプ等の電飾装置（図示せず）や、遊技の展開状態に応じて効果音を発生させるスピーカ８が設けられる。
【００１３】
前枠２の右下部には、遊技球の発射操作を行う発射ハンドル９が設けられる。詳細な図示を省略するが、前枠２の下部（後述の下前枠部２０２）におけるガラス枠５の後側の領域（遊技補助盤とも称される）には、上球皿６ａに貯留された遊技球を１球ずつ送り出す整流器（図示せず）、整流器から送り出された遊技球を遊技領域ＰＡに向けて打ち出す発射機構（図示せず）、発射機構の作動を制御する発射制御基板（図示せず）等が設けられる。
【００１４】
続いて、図２を参照しながら、ぱちんこ遊技機ＰＭの後面側の基本構造を説明する。前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留するタンク部材５０、タンク部材５０から供給される遊技球を流下させる樋部材６０、樋部材６０を流下する遊技球を払い出す賞球払出ユニット７０、賞球払出ユニット７０から払い出された遊技球を上球皿６ａもしくは下球皿６ｂに流下させる通路部材８０等が設けられている。
【００１５】
遊技盤１０の後面側には、ぱちんこ遊技機ＰＭの作動を統括的に制御する主制御基板２０や、遊技展開に応じた画像表示、効果照明、効果音等の演出全般の制御を行う副制御基板（図示せず）等が取り付けられている。これに対して、裏機構盤３０の後面側には、遊技球の払い出しに関する制御を行う払出制御基板（図示せず）や、遊技施設側から受電して各種制御基板や電気・電子部品に電力を供給する電源基板（図示せず）等が取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１６】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル９を回動操作することにより遊技が開始される。発射ハンドル９が回動操作されると、上球皿６ａに貯留された遊技球が、ガラス枠５の後方側に配設される整流器（図示せず）によって１球ずつ発射機構（図示せず）に送り出され、発射機構により遊技領域ＰＡに打ち出されて、以降パチンコゲームが展開される。
【００１７】
［枠部材の構成］
次に、図３〜図１２を追加参照して、外枠１および前枠２の詳細について説明する。外枠１は、図３〜図４に示すように、外枠１の上辺部を構成する上外枠部１０１と、外枠１の下辺部を構成する下外枠部１０２と、外枠１の左辺部を構成する左外枠部１０３と、外枠１の右辺部を構成する右外枠部１０４とから構成される。上外枠部１０１および下外枠部１０２は、木製板材を用いて左右方向に延びる板状に形成される。左外枠部１０３および右外枠部１０４は、アルミニウム合金等の金属材料を用いて上下方向に延びる板状に形成される。上外枠部１０１、下外枠部１０２、左外枠部１０３、および右外枠部１０４はそれぞれ、Ｌ型アングル状に形成された連結部材（図示せず）を用いて、外枠１の四隅において相互に連結される。
【００１８】
図７に示すように、左外枠部１０３の内側中央部には、裏機構盤３０の補強板３７の縁部に形成された侵入防止部３８の前方を覆うガードリブ１０６が形成されている。左外枠部１０３の内側後部には、補強板３７の縁部に形成された侵入防止部３８の後方を覆う後壁部１０７が形成されている。これにより、前枠２が外枠１に対して閉鎖状態のときに、左外枠部１０３のガードリブ１０６および後壁部１０７と、補強板３７の侵入防止部３８とによってラビリンス構造が形成されるため、外枠１の左外枠部１０３と前枠２の左前枠部２０３との隙間に不正な工具を挿入してぱちんこ遊技機ＰＭの後面側（例えば、賞球払出ユニット７０等）に不正にアクセスされるのを防止することができる。
【００１９】
前枠２は、図６〜図７および図１０にも示すように、前枠２の上辺部を構成する上前枠部２０１と、前枠２の下辺部を構成する下前枠部２０２と、前枠２の左辺部を構成する左前枠部２０３と、前枠２の右辺部を構成する右前枠部２０４とから構成される。上前枠部２０１および下前枠部２０２は、ＡＢＳ樹脂等の樹脂材料を用いて、左右方向に延びる遊技盤１０を保持可能な形状に形成される。左前枠部２０３および右前枠部２０４は、アルミニウム合金等の金属材料を用いて上下方向に延びる板状に形成される。上前枠部２０１、下前枠部２０２、左前枠部２０３、および右前枠部２０４はそれぞれ、ネジ等の連結部材（図示せず）を用いて相互に連結される。
【００２０】
図９に示すように、下前枠部２０２の左上部には、上流側が裏機構盤３０の裏側上球皿通路４４と連通するとともに、下流側がガラス枠５の上側出口通路部５ｂと連通した前側上球皿通路２０６が形成される。前側上球皿通路２０６は、裏機構盤３０の裏側上球皿通路４４を通過した遊技球をガラス枠５の上側出口通路部５ｂに向けて流下させることができるように、前後方向に貫通して形成される。ガラス枠５の上側出口通路部５ｂは、下流側が上球皿６ａに向けて開口するように形成されており、下前枠部２０２の前側上球皿通路２０６を通過した遊技球を上球皿６ａに流出させる。
【００２１】
図９〜図１０に示すように、下前枠部２０２の左下部には、上流側が裏機構盤３０の裏側下球皿通路４５と連通するとともに、下流側がガラス枠５の下側出口通路部５ｃと連通した前側下球皿通路２０７が形成される。前側下球皿通路２０７は、裏機構盤３０の裏側下球皿通路４５を通過した遊技球をガラス枠５の下側出口通路部５ｃに向けて流下させることができるように、前後方向に貫通して形成される。ガラス枠５の下側出口通路部５ｃは、下流側が下球皿６ｂに向けて開口するように形成されており、下前枠部２０２の前側下球皿通路２０７を通過した遊技球を下球皿６ｂに流出させる。なお、下前枠部２０２の前面側には、前述したように、整流器（図示せず）および発射機構（図示せず）等が設けられる。
【００２２】
［裏機構盤の構成］
次に、裏機構盤３０の詳細について説明する。裏機構盤３０は、図４に示すように、前枠２の上部後面側（上前枠部２０１の後面側）に取り付けられる上部裏機構盤３１と、前枠２の下部後面側（下前枠部２０２の後面側）に取り付けられる下部裏機構盤４１とから構成される。
【００２３】
上部裏機構盤３１は、裏カバーユニット３２と、補強板３７とから構成される。裏カバーユニット３２は、ポリカーボネート等の透明樹脂材料を用いて、遊技盤１０の上部後方および左側部後方（裏機構盤３０の後方から見て右側部後方）を覆う庇状に形成される。裏カバーユニット３２の上部右側（裏機構盤３０の後方から見て上部左側）には、タンク取付部３３がタンク部材５０の下部の形状に合わせて形成されており、タンク取付部３３の上面側にタンク部材５０が取り付けられるようになっている。裏カバーユニット３２の上部左側（裏機構盤３０の後方から見て上部右側）には、樋部材取付部３４が樋部材６０における後方延伸部６１および側方延伸部６３の側部の形状に合わせて形成されており、樋部材取付部３４の後面側に樋部材６０の後方延伸部６１および側方延伸部６３が取り付けられるようになっている。図６および図１０に示すように、樋部材取付部３４の内面側（前面側）には、遊技盤１０の左上部後面側に取り付けられた駆動装置１９（図６および図１０の二点鎖線を参照）等の部品を受容可能な受容空間Ｓが形成される。
【００２４】
図４に示すように、裏カバーユニット３２の左下部には、遊技盤１０の左側部後方（裏機構盤３０の後方から見て右側部後方）を覆うサイドカバー部３５が上下方向に延びて形成される。図７に示すように、サイドカバー部３５の上方後端部３５ａは、遊技盤１０の後面側と対向するように断面視コの字形に屈曲して形成されており、この上方後端部３５ａの端面上に樋部材６０の下方延伸部６５が取り付けられるようになっている。サイドカバー部３５の上方後端部３５ａの端面の幅は、樋部材６０の下方延伸部６５の幅と同じ幅に設計される。詳細な図示を省略するが、サイドカバー部３５の下方後端部は、遊技盤１０の後面側と対向するように断面視Ｌ字形に屈曲して形成されており、この下方後端部の端面上に賞球払出ユニット７０が取り付けられるようになっている。なお、サイドカバー部３５の下端部は、ネジ等の結合手段を用いて下部裏機構盤４１の左上部に結合される。
【００２５】
サイドカバー部３５の前部には、ネジ等の結合手段を用いて補強板３７が結合される。補強板３７は、アルミニウム合金等の金属材料を用いて、上下方向にサイドカバー部３５と略平行に延びる板状に形成され、遊技盤１０の左側部とサイドカバー部３５との間隙部を覆うようになっている。補強板３７の前方縁部には、前枠２が外枠１に対して閉鎖状態のときに、左外枠部１０３のガードリブ１０６と後壁部１０７との間隙部に配置される侵入防止部３８が折り曲げ形成されている。
【００２６】
下部裏機構盤４１は、図４に示すように、ポリカーボネート等の透明樹脂材料を用いて、左右方向に延びる箱状に形成される。下部裏機構盤４１の後部中央から後部右側（裏機構盤３０の後方から見て後部左側）に亘り、基板取付部４２が形成されており、この基板取付部４２に前述の払出制御基板（図示せず）および電源基板（図示せず）等が取り付けられるようになっている。下部裏機構盤４１の後部左側（裏機構盤３０の後方から見て後部右側）に、通路部材取付部４３が形成されており、この通路部材取付部４３に通路部材８０が取り付けられるようになっている。
【００２７】
図９に示すように、下部裏機構盤４１の内部左側には、上流側が通路部材８０の上側払出通路８６と連通するとともに、下流側が前枠２（下前枠部２０２）の前側上球皿通路２０６と連通した裏側上球皿通路４４が形成される。裏側上球皿通路４４は、通路部材８０の上側払出通路８６を通過した遊技球を前枠２の前側上球皿通路２０６に向けて流下させることができるように、前後に貫通して形成される。
【００２８】
図９〜図１０に示すように、下部裏機構盤４１の内部における裏側上球皿通路４４の下方には、上流側が通路部材８０の下側払出通路８７と連通するとともに、下流側が前枠２（下前枠部２０２）の前側下球皿通路２０７と連通した裏側下球皿通路４５が形成される。裏側下球皿通路４５は、通路部材８０の下側払出通路８７を通過した遊技球を前枠２の前側下球皿通路２０７に向けて流下させることができるように、左右方向に屈曲して貫通するように形成される。通路部材取付部４３を構成する裏側下球皿通路４５の後側壁部には、満杯検出手段９５（満杯検出部材９６）の遊技球当接部９７が挿通される満杯検出穴４５ａが形成される。
【００２９】
図１１に示すように、下部裏機構盤４１の後側における裏側上球皿通路４４の右方には、上流側が通路部材８０の球抜き通路８８と連通した球抜き排出通路４６が形成される。球抜き排出通路４６は、下部裏機構盤４１の後面側に取り付けられた後側通路カバー４９と下部裏機構盤４１との間に、右方向へ下傾して延びるように形成され、通路部材８０の球抜き通路８８を通過した遊技球を下部裏機構盤４１の後下部中央に形成された球排出口４１ａに向けて流下させる。
【００３０】
下部裏機構盤４１の前側における裏側上球皿通路４４の右方には、遊技領域ＰＡを転動流下して遊技盤１０の後面側に排出された遊技球を上述の球排出口４１ａに向けて流下させる遊技球排出通路４７が形成される。遊技球排出通路４７は、下部裏機構盤４１の前面側に取り付けられた前側通路カバー４８と下部裏機構盤４１との間に、上流側において通路高さが狭くなりつつ、略Ｓ字状に屈曲して上下に延びるように形成される。なお、裏側下球皿通路４５の一部も、前側通路カバー４８と下部裏機構盤４１との間に形成される。遊技球排出通路４７の上流側には、通路高さが狭くなりつつ水平方向に蛇行した形状を有する蛇行部４７ａが形成される。これにより、遊技球排出通路４７の上流側（蛇行部４７ａ）に集まる遊技球の球圧が前後方向（遊技球が流下する方向に対して左右方向）に分散されるため、遊技球排出通路４７における球詰まりを防止することができる。
【００３１】
［タンク部材および樋部材の構成］
次に、タンク部材５０および樋部材６０の詳細について説明する。タンク部材５０は、図４および図５に示すように、ポリカーボネート等の透明樹脂材料を用いて、上方が開口した桶状に形成される。タンク部材５０の左側部後方（タンク部材５０の後方から見て右側部後方）には、タンク部材５０の内部と樋部材６０の上流端部とを連通させる樋部材連結部５１が形成されており、この樋部材連結部５１に樋部材６０が連結されて繋がるようになっている。
【００３２】
樋部材６０は、図４および図５に示すように、ポリカーボネート等の透明樹脂材料を用いて、内幅が遊技球の（１球分の）直径よりも若干大きい断面視矩形の樋状に形成され、タンク部材５０から供給される遊技球を一列に流下させるようになっている。樋部材６０は、後方延伸部６１と、側方延伸部６３と、下方延伸部６５とを有して構成され、後方延伸部６１および側方延伸部６３が裏機構盤３０（裏カバーユニット３２）の樋部材取付部３４に取り付けられるとともに、下方延伸部６５が裏機構盤３０（裏カバーユニット３２）のサイドカバー部３５に取り付けられる。
【００３３】
後方延伸部６１は、タンク部材５０の左側部から後方へ湾曲して、左後斜め方向（樋部材６０の後方から見て右後斜め方向）に下傾しつつ直線的に延びるように形成される。後方延伸部６１には、後方延伸部６１の上方開口部の一部を覆う第１整流部材６２が取り付けられており、後方延伸部６１において遊技球を一列に流下させるようになっている。側方延伸部６３は、後方延伸部６１の下流端から裏機構盤３０の左側方側（樋部材６０の後方から見て右側方側）へ湾曲して、左方向に下傾しつつ直線的に延びるように形成される。側方延伸部６３には、側方延伸部６３の上方開口部の一部を覆う第２整流部材６４が取り付けられており、側方延伸部６３において遊技球を一列に流下させるようになっている。
【００３４】
下方延伸部６５は、側方延伸部６３の下流端から下方へ湾曲して直線的に延びるように形成される。下方延伸部６５の内壁面には、下方延伸部６５の延伸方向に沿って螺旋状に並ぶ複数の螺旋突起６６，６６，…が形成されており、下方延伸部６５を直下方に流下する遊技球が複数の螺旋突起６６，６６，…に当接することで、遊技球の流下速度が低下するようになっている。下方延伸部６５の下端部には、賞球払出ユニット７０の入口部と対向するように下方に向けて開口した出口部６７が形成される。下方延伸部６５の出口部６７には、下方延伸部６５の出口部６７と賞球払出ユニット７０の入口部との接続部分を覆うカバー部材６８が取り付けられる。
【００３５】
［通路部材の構成］
次に、図１３〜図１６を追加参照して、通路部材８０の詳細について説明する。図１３〜図１４に示すように、通路部材８０は、左側通路部材８１と、右側通路部材８２と、押さえ部材９０と、満杯検出手段９５とを有して構成される。通路部材８０は、ネジ等の固定手段を用いて、裏機構盤３０（下部裏機構盤４１）の通路部材取付部４３に対し着脱可能に取り付け固定される。左側通路部材８１および右側通路部材８２は、ポリカーボネート等の透明樹脂材料を用いて、互いに略左右対称形状の箱状に形成される。左側通路部材８１と右側通路部材８２とは、ネジ等の結合部材（図示せず）を用いて着脱可能に結合される。左側通路部材８１と右側通路部材８２とが結合されて構成された通路部材８０の内部に、上側払出通路８６と、下側払出通路８７と、球抜き通路８８と、センサ収容室８９とが形成される。
【００３６】
図９に示すように、上側払出通路８６は、通路部材８０の上部において、上流側が賞球払出ユニット７０の賞球出口部と連通するとともに、下流側が裏機構盤３０（下部裏機構盤４１）の裏側上球皿通路４４と連通し、賞球払出ユニット７０から払い出された遊技球を裏機構盤３０の裏側上球皿通路４４に向けて流下させる。下側払出通路８７は、上側払出通路８６の中間部から下方に分岐して裏機構盤３０の裏側下球皿通路４５と連通し、上球皿６ａより上側払出通路８６から溢れ出た遊技球を裏機構盤３０の裏側下球皿通路４５に向けて流下させる。球抜き通路８８は、上側払出通路８６の右側に並行するように延びて、上流側が賞球払出ユニット７０の球抜き出口部と連通するとともに、下流側が裏機構盤３０の球抜き排出通路４６と連通し、賞球払出ユニット７０において球抜きが行われた遊技球を裏機構盤３０の球抜き排出通路４６に向けて流下させる。
【００３７】
図１５および図１６に示すように、通路部材８０の前下部に形成されたセンサ収容室８９に、満杯検出手段９５が収容される。満杯検出手段９５は、満杯検出部材９６と、リミットスイッチ９９とを有して構成される。満杯検出部材９６は、ポリカーボネート等の樹脂材料を用いて、棒状に形成される。満杯検出部材９６の基端側は、右側通路部材８２の内側下部に形成された支軸部８３に前後方向に揺動自在に支持される。満杯検出部材９６の先端部には、遊技球当接部９７が前方に突出して形成される。遊技球当接部９７は、センサ収容室８９の前側壁部に形成された挿通穴８９ａに挿通されてセンサ収容室８９の前方外側に露出するように構成される。また、遊技球当接部９７は、通路部材８０が裏機構盤３０（下部裏機構盤４１）の通路部材取付部４３に取り付けられた状態で、下部裏機構盤４１の満杯検出穴４５ａに挿通されて裏側下球皿通路４５側に露出し、下球皿６ｂから裏側下球皿通路４５まで溢れた遊技球に当接可能に構成される。満杯検出部材９６の後部には、リミットスイッチ９９のスイッチ片に当接可能なスイッチ当接部９８が後方に突出して形成される。なお、上側払出通路８６および下側払出通路８７の前部は、センサ収容室８９よりも前方に突出して形成されており、裏側下球皿通路４５側に露出した遊技球当接部９７の上方が下側払出通路８７の底部前端に覆われるようになっている。これにより、下側払出通路８７の下流端から裏側下球皿通路４５に流下する遊技球が遊技球当接部９７に当接するのを防止することができ、通常使用時における満杯検出部材９６またはリミットスイッチ９９の破損を防止することができる。
【００３８】
リミットスイッチ９９は、右側通路部材８２の内側下部における支軸部８３の後方に形成されたセンサ固定爪部８４に着脱容易に取り付けられる。リミットスイッチ９９は、満杯検出部材９６が後方に揺動して、満杯検出部材９６のスイッチ当接部９８がリミットスイッチ９９のスイッチ片に当接したときに、満杯検出信号を主制御基板２０等に出力する。なお、満杯検出部材９６は、スイッチ当接部９８よりも大きな遊技球当接部９７が前方に突出して形成され、重力の作用によって常には前方へ揺動するように構成されている。リミットスイッチ９９から延びるワイヤーハーネス（図示せず）は、右側通路部材８２の側部に形成されたハーネス穴部８５ａに挿通され、右側通路部材８２の外側面に形成されたハーネス保持部８５ｂに保持されるようになっている。
【００３９】
押さえ部材９０は、図１４および図１５に示すように、押さえ片９１と、把持部９２と、係止突起９３とを有して構成され、左側通路部材８１および右側通路部材８２の後端部に上下方向にスライド移動可能に取り付けられる。押さえ片９１は、押さえ部材９０の上端部に形成され、押さえ部材９０が上側の押さえ位置に移動した状態で、左側通路部材８１および右側通路部材８２よりも上方に突出して賞球払出ユニット７０の下部後面側に重なるようになっている（図１４および図１５の実線を参照）。また、押さえ片９１は、押さえ部材９０が下側の非押さえ位置に移動した状態で、左側通路部材８１および右側通路部材８２の上部後面側に重なるようになっている（図１４および図１５の二点鎖線を参照）。把持部９２は、押さえ部材９０の中間部に形成され、作業者がこの把持部９２を把持して押さえ部材９０を上下方向にスライド移動させることができる。係止突起９３は、押さえ部材９０の下端部に形成され、押さえ部材９０が押さえ位置に移動した状態で、左側通路部材８１および右側通路部材８２の後端面に形成された溝部に係止するようになっている。
【００４０】
これにより、作業者が押さえ部材９０を上方にスライドさせて押さえ位置に移動させると、押さえ部材９０の係止突起９３が左側通路部材８１および右側通路部材８２の溝部に係止して、押さえ部材９０が押さえ位置に移動した状態で保持される。そのため、押さえ部材９０の押さえ片９１が賞球払出ユニット７０の下部後面側に重なる状態が保持され、賞球払出ユニット７０をぱちんこ遊技機ＰＭの前方側から後方に不正に取り外す等の不正行為を防止することができる。なお、賞球払出ユニット７０を正規に着脱させる際には、作業者が押さえ部材９０の係止突起９３を溝部から外して、押さえ部材９０を下方にスライドさせて非押さえ位置に移動させる。
【００４１】
以上のように構成されるぱちんこ遊技機ＰＭにおいて、遊技施設側からタンク部材５０に供給された遊技球は、タンク部材５０に貯留されつつ、タンク部材５０の樋部材連結部５１を通って樋部材６０の上流端に達する。樋部材６０の上流端に達した遊技球は、樋部材６０の後方延伸部６１、側方延伸部６３、下方延伸部６５を順に流下し、下流端の出口部６７を通って賞球払出ユニット７０に達する。賞球払出ユニット７０は、遊技盤１０における遊技領域ＰＡでの遊技の状態に応じて、賞球として樋部材６０を流下する遊技球を上球皿６ａに向けて払い出す。
【００４２】
賞球払出ユニット７０から払い出された遊技球は、通常、通路部材８０の上側払出通路８６を流下して、裏機構盤３０（下部裏機構盤４１）の裏側上球皿通路４４に達する。このとき遊技球は、通路部材８０において下側払出通路８７の上流端を飛び越えるようにして上側払出通路８６を流下する。下部裏機構盤４１の裏側上球皿通路４４に達した遊技球は、裏側上球皿通路４４および前枠２（下前枠部２０２）の前側上球皿通路２０６を流下し、ガラス枠５の上側出口通路部５ｂを通って上球皿６ａに流出する。これにより、賞球払出ユニット７０から上球皿６ａに遊技球が払い出され、払い出された遊技球は上球皿６ａに貯留される。
【００４３】
上球皿６ａが遊技球で満杯になると、賞球払出ユニット７０から払い出された遊技球は、上球皿６ａの方から、ガラス枠５の上側出口通路部５ｂ、前枠２（下前枠部２０２）の前側上球皿通路２０６、裏機構盤３０（下部裏機構盤４１）の裏側上球皿通路４４、通路部材８０の上側払出通路８６の順に溢れてくる。通路部材８０の上側払出通路８６から溢れた遊技球は、下側払出通路８７を流下して、裏機構盤３０（下部裏機構盤４１）の裏側下球皿通路４５に達する。下部裏機構盤４１の裏側下球皿通路４５に達した遊技球は、裏側下球皿通路４５および前枠２（下前枠部２０２）の前側下球皿通路２０７を流下し、ガラス枠５の下側出口通路部５ｃを通って下球皿６ｂに流出する。これにより、賞球払出ユニット７０から払い出されて上球皿６ａ等から溢れた遊技球が下球皿６ｂに流出し、流出した遊技球は下球皿６ｂに貯留される。
【００４４】
上球皿６ａおよび下球皿６ｂが遊技球で満杯になると、賞球払出ユニット７０から払い出された遊技球は、下球皿６ｂの方から、ガラス枠５の下側出口通路部５ｃ、前枠２（下前枠部２０２）の前側下球皿通路２０７、裏機構盤３０（下部裏機構盤４１）の裏側下球皿通路４５の順に溢れてくる。下部裏機構盤４１の裏側下球皿通路４５まで溢れた遊技球は、裏側下球皿通路４５側に露出した満杯検出部材９６の遊技球当接部９７に当接する。満杯検出部材９６の遊技球当接部９７に当接した遊技球が当該遊技球当接部９７を後方に押圧すると、満杯検出部材９６が後方に揺動して、満杯検出部材９６のスイッチ当接部９８がリミットスイッチ９９のスイッチ片に当接する。満杯検出部材９６のスイッチ当接部９８がリミットスイッチ９９のスイッチ片を押圧すると、リミットスイッチ９９が満杯検出信号を主制御基板２０等に出力する。これにより、例えば、主制御基板２０において上球皿６ａおよび下球皿６ｂが遊技球で満杯である状態が検知され、賞球払出ユニット７０での払い出し作動を停止する制御等が行われる。
【００４５】
［本実施形態における特徴構成］
［樋部材の特徴構成］
本実施形態において、樋部材６０は、タンク部材５０の側部から後方へ湾曲して延びる後方延伸部６１と、後方延伸部６１の下流端から裏機構盤３０の側方側へ湾曲して延びる側方延伸部６３と、側方延伸部６３の下流端から下方へ湾曲して延びる下方延伸部６５とを有している。これにより、遊技球を一列に流下させる樋部材６０の上流側が後方へ迂回するように形成されるため、遊技盤１０の後側の空間を拡大することが可能になる。そのため、遊技盤１０の後側に大型の駆動装置１９等の大きな部品を取り付けることができる。
【００４６】
また、後方延伸部６１がタンク部材５０の側部から後方へ湾曲して直線的に延びるとともに、側方延伸部６３が後方延伸部６１の下流端から裏機構盤３０の側方側へ湾曲して直線的に延びるようになっている。これにより、樋部材６０の上流側において直線的に延びる部分が増えるため、樋部材６０における球詰まりを防止することができる。
【００４７】
［裏機構盤の特徴構成］
本実施形態において、裏機構盤３０は、遊技盤１０の側部後方を覆うサイドカバー部３５を有し、板状に後方に延びて遊技盤１０の後面側と対向するように屈曲したサイドカバー部３５の後端部３５ａに、下方へ直線的に伸びる樋部材６０の下方延伸部６５が取り付けられている。これにより、裏機構盤３０において比較的強度の高いサイドカバー部３５の後端部３５ａに沿って、樋部材６０の下方延伸部６５が取り付けられるため、樋部材６０の強度を確保しつつ、遊技球を一列に流下させるように樋部材６０を細くして、遊技盤１０の後側の空間を拡大することが可能になる。そのため、遊技盤１０の後側に大型の駆動装置１９等の大きな部品を取り付けることができる。
【００４８】
また、裏機構盤３０は、タンク部材５０が取り付けられるタンク取付部３３と、タンク取付部３３の側方に隣接して設けられて樋部材６０の後方延伸部６１および側方延伸部６３が取り付けられる樋部材取付部３４とを有し、樋部材取付部３４の前方内側に、遊技盤１０の後側上部に設けられた部品を受容可能な受容空間Ｓが形成されている。これにより、遊技盤１０の後側上部の空間を受容空間Ｓとして拡大することが可能になり、遊技盤１０の後側上部に大型の駆動装置１９等の大きな部品を取り付けることができる。
【００４９】
［通路部材の特徴構成］
本実施形態において、前枠２の後側における賞球払出ユニット７０の下方に着脱可能に取り付けられ、賞球払出ユニット７０から払い出された遊技球を下球皿６ｂに導く通路部材８０と、通路部材８０に設けられて下球皿６ｂが遊技球で満杯である状態を検出する満杯検出手段９５とが設けられている。このように、着脱可能な通路部材８０に満杯検出手段９５が設けられることで、故障等により満杯検出手段９５を交換する場合に、通路部材８０のみを取り外せばよく、手間を掛けずに満杯検出手段９５を交換することが可能である。そのため、ぱちんこ遊技機ＰＭのメンテナンス性を向上させることができる。なお、満杯検出手段９５を交換する際、通路部材８０を分解して満杯検出手段９５（満杯検出部材９６およびリミットスイッチ９９）のみを交換してもよく、通路部材８０のユニット全体を交換するようにしてもよい。
【００５０】
また、満杯検出手段９５は、通路部材８０が前枠２の後側における賞球払出ユニット７０の下方に取り付けられた状態で、裏側下球皿通路４５の後側壁部において下球皿６ｂから裏側下球皿通路４５まで溢れ出た遊技球を検出可能に配置されている。このように、満杯検出手段９５が、裏側下球皿通路４５まで溢れ出た遊技球を検出可能に配置されることで、満杯検出手段９５において下球皿６ｂが満杯であることが検出されるまでの遊技球の数を増やすことが可能になる。これにより、下球皿６ｂにおいて貯留可能な遊技球の数を実質的に増やすことができる。また、下球皿６ｂが前枠２（ガラス枠５）の左側に寄って小さくなる場合でも、下球皿６ｂにおいて貯留可能な遊技球の数を確保することができる。
【００５１】
上述の実施形態において、樋部材６０の内幅は、遊技球の（１球分の）直径よりも若干大きい幅に設定されているが、これに限られるものではなく、遊技球の２球分の直径よりも若干小さい幅まで設定されてもよく、樋部材６０が遊技球を１列で流下させるように構成されていればよい。
【００５２】
上述の実施形態において、下球皿６ｂは、前枠２（ガラス枠５）の左右の中心に対して左側に寄って配置されているが、これに限られるものではなく、前枠２（ガラス枠５）の下部中央に配置されていてもよい。
【００５３】
上述の実施形態において、上球皿６ａと下球皿６ｂが別個に設けられているが、これに限られるものではなく、上球皿と下球皿の機能が一体化された球皿が設けられる構成であってもよい。
【００５４】
上述の実施形態において、通路部材８０は、前枠２の後側における賞球払出ユニット７０の下方に着脱可能に取り付けられているが、賞球払出ユニット７０と通路部材８０を一体化して、満杯検出手段９５を交換する際、賞球払出ユニット７０と通路部材８０のユニット全体を交換するようにしてもよい。
【００５５】
上述の実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。
【符号の説明】
【００５６】
ＰＭ  ぱちんこ遊技機（弾球遊技機）
ＰＡ  遊技領域
Ｓ  受容空間
１  外枠
２  前枠
１０  遊技盤
１９  駆動装置
３０  裏機構盤
３１  上部裏機構盤
３２  裏カバーユニット
３３  タンク取付部
３４  樋部材取付部
３５  サイドカバー部（３５ａ  後端部）
４１  下部裏機構盤
４４  裏側上球皿通路
４５  裏側下球皿通路（４５ａ  満杯検出穴）
５０  タンク部材
６０  樋部材
６１  後方延伸部
６３  側方延伸部
６５  下方延伸部
７０  賞球払出ユニット
８０  通路部材
８６  上側払出通路
８７  下側払出通路
９５  満杯検出手段
２０６  前側上球皿通路
２０７  前側下球皿通路
【図１】
2015202190.tif 000003
【図２】
2015202190.tif 000004
【図３】
2015202190.tif 000005
【図４】
2015202190.tif 000006
【図５】
2015202190.tif 000007
【図６】
2015202190.tif 000008
【図７】
2015202190.tif 000009
【図８】
2015202190.tif 000010
【図９】
2015202190.tif 000011
【図１０】
2015202190.tif 000012
【図１１】
2015202190.tif 000013
【図１２】
2015202190.tif 000014
【図１３】
2015202190.tif 000015
【図１４】
2015202190.tif 000016
【図１５】
2015202190.tif 000017
【図１６】
2015202190.tif 000018